(57)【要約】【課題】タグが柵などの突起物に引っかかることを防止し、タグの脱落や耳殻の損傷も防げる動物用耳標を得る。【解決手段】上下位置で重合して相互にスライド自在に組み合わさる第１の本体プレート１ａと第２の本体プレート１ｂとで形成される本体１と、この本体１に係止され上下位置で重合して相互にスライド自在に組み合わさる第１の留め具プレート２ａと第２の留め具プレート２ｂとで形成される留め具２とで構成され、前記第１と第２の本体プレートのそれぞれの端部下部に動物の耳殻を貫通する先端を槍状部１１ａとした芯杆１１を突設し、前記第１と第２の留め具プレートのそれぞれの端部に前記槍状部１１ａが嵌入する係止孔１２を設けた。【選択図】        図１
2007143459.tif 000002
【特許請求の範囲】
【請求項１】
上下位置で重合して相互にスライド自在に組み合わさる第１の本体プレートと第２の本体プレートとで形成される本体と、この本体に係止され上下位置で重合して相互にスライド自在に組み合わさる第１の留め具プレートと第２の留め具プレートとで形成される留め具とで構成され、前記第１と第２の本体プレートのそれぞれの端部下部に動物の耳殻を貫通する先端を槍状部とした芯杆を突設し、前記第１と第２の留め具プレートのそれぞれの端部に前記槍状部が嵌入する係止孔を設けたことを特徴とする動物用耳標。
【請求項２】
前記本体の上側に位置する第１の本体プレートに、アンテナを接続した電子情報記録媒体を取付け、下方に位置する第２の本体プレートに断磁体を取付けた請求項１記載の動物用耳標。
【請求項３】
前記第１の本体プレートと第２の本体プレートとのスライド部分、および第１の留め具プレートと第２の留め具プレートとのスライド部分は、それぞれ第１の本体プレートおよび第２の留め具プレートの側部に形成したスリット溝に、第２の本体プレート及び第２の留め具プレートの側部に突設したピンがスライド自在に挿入されるヒンジ構造である請求項１または請求項２に記載の動物用耳標。
【請求項４】
第１と第２の本体プレートの上面にそれぞれカバーを装着する請求項１から請求項３のいずれかに記載の動物用耳標。
【発明の詳細な説明】
【技術分野】
【０００１】
本発明は、牛、豚、あるいは羊等家畜など動物の耳殻に装着する動物用耳標に関するものである。
【背景技術】
【０００２】
家畜を放牧、肥育、乳用するためには、一頭一頭の個体識別が必要であり、また、このワクチン接種の有無を識別するために耳標が用いられる。
【０００３】
その耳標には、個体を識別するための番号等が単にプレート状のタグ表面に表示されているものや、プレート状のタグに装着されたＩＣチップ等の電子情報記録媒体に個体の識別情報が記録され、その記録する識別情報を無線通信で読み出すことによって個体が識別されるものが知られている。
【０００４】
下記特許文献には図９、図１０に示すように、そのプレート２５のタグに番号を印字し、また、プレート２５のタグに個体の識別情報を記録したＩＣチップ２６ａと識別情報の送信または受信用のアンテナとなるコイル２６ｂを装着し、プレート２５の一端に有する通孔２５ａに、家畜の耳介の裏側から円盤部２７に形成された雄ピン２８の先端の傘状の穿刺部２９を嵌着させることによりプレート２５のタグを保持する耳標が示されている。
【特許文献１】特開２００３−７０３７２号公報
【発明の開示】
【発明が解決しようとする課題】
【０００５】
前記耳標は、穿刺部を通孔に嵌着させることでタグを耳殻に保持するものであるが、穿刺部と通孔とによる嵌着部が一点のみであり、しかもこの嵌着部はタグの一方の端部寄りに位置している。
【０００６】
このため、プレートの大部分が耳殻２４から離間して自由に動ける状態にあって、図１１に示すように柵３０などの突起物などに引っかかるおそれがあり、その結果、図１２に示すように雄ピンが折れたり、抜けたりするなどしてタグが脱落することがある。そして、この場合、家畜体の耳殻が切断されることにもなる。
【０００７】
本発明の目的は前記従来例の不都合を解消し、タグが柵などの突起物に引っかかることを防止し、タグの脱落や耳殻の損傷も防げる動物用耳標を提供することにある。
【課題を解決するための手段】
【０００８】
本発明は前記目的を達成するものとして、請求項１記載の発明は、上下位置で重合して相互にスライド自在に組み合わさる第１の本体プレートと第２の本体プレートとで形成される本体と、この本体に係止され上下位置で重合して相互にスライド自在に組み合わさる第１の留め具プレートと第２の留め具プレートとで形成される留め具とで構成され、前記第１と第２の本体プレートのそれぞれの端部下部に動物の耳殻を貫通する先端を槍状部とした芯杆を突設し、前記第１と第２の留め具プレートのそれぞれの端部に前記槍状部が嵌入する係止孔を設けたことを要旨とするものである。
【０００９】
請求項１記載の本発明によれば、本体と留め具とは、第１の本体プレートと第１の留め具プレート、第２の本体プレートと第２の留め具プレートとがそれぞれの端部に形成した係止孔への芯杆の嵌入により動物の耳殻を挟込んだ状態で耳殻に固定される。
【００１０】
よって、耳標は、本体と留め具のそれぞれの端部の２箇所で耳殻に固定されるから、耳標の端が浮いて柵などの突起物に引っかかることを防止でき、耳殻の損傷などを防げる。
【００１１】
また、２箇所で固定するものであっても、本体と留め具は、第１と第２の本体プレート、第１と第２の留め具プレートとが、それぞれ互いにスライドして本体および留め具の全体の長さが伸長するから、動物の成長に伴い耳が大きくなっても、耳の成長に追随することができる。
【００１２】
請求項２記載の発明は、前記本体の上側に位置する第１の本体プレートに、アンテナを接続した電子情報記録媒体を取付け、下方に位置する第２の本体プレートに断磁体を取付けたことを要旨とするものである。
【００１３】
請求項２記載の本発明によれば、ＩＣチップなどによる電子情報記録媒体は、水を嫌う性質があるが、これを本体の上側に位置する第１の本体プレートに取付けたから、動物の耳殻から離れた位置に配設されることになり、水から保護できる。
【００１４】
さらに、下方位置の第２の本体プレートには、断磁体を取付けたから、電子情報記録媒体に接続されたアンテナからの電波をここで反射させることで、必要以上に電波が飛ぶことを防止できる。
【００１５】
請求項３記載の発明は、前記第１の本体プレートと第２の本体プレートとのスライド部分、および第１の留め具プレートと第２の留め具プレートとのスライド部分は、それぞれ第１の本体プレートおよび第２の留め具プレートの側部に形成したスリット溝に、第２の本体プレート及び第２の留め具プレートの側部に突設したピンがスライド自在に挿入されるヒンジ構造であることを要旨とするものである。
【００１６】
請求項３記載の本発明によれば、第１と第２の本体プレート、および第１と第２の留め具プレートは、それぞれヒンジ構造で結合されるから、本体および留め具がそれぞれ両端に耳殻に固定される構造であっても、ヒンジ部で折れ曲がることによって耳殻の柔軟性に追随できる。
【００１７】
請求項４記載の発明は、第１と第２の本体プレートの上面にそれぞれカバーを装着することを要旨とするものである。
【００１８】
請求項４記載の本発明によれば、本体の上部をカバーで覆うことで、耳標への動物同士による噛付きや、爪などによる引っ掛かりを防止でき、安全性を向上できる。
【発明の効果】
【００１９】
以上述べたように本発明の動物用耳標は、耳標の両端部を耳殻に固定したから、耳標が柵などの突起物に引っかかることを防止し、耳標の脱落や耳殻の損傷も防げるものである。そして、耳標の両端を耳殻に固定するものであっても、動物の成長に追随させて耳標の全体長を自動的に伸長できるから、不都合は生じないものである。
【発明を実施するための最良の形態】
【００２０】
以下、図面について本発明の実施形態を詳細に説明する。図１は本発明の動物用耳標の実施形態を示す説明図、図２は同上本体の横断平面図、図３は同上要部である第１の本体プレートの斜視図で、本発明の動物用耳標の全体構成から説明する。
【００２１】
本発明の耳標は、本体１とこの本体１に係止する留め具２とで構成し、本体１と留め具２とはともに合成樹脂製であり、本体１は上下位置で重合して相互にスライド自在に組み合わさる第１の本体プレート１ａと第２の本体プレート１ｂとで形成される。
【００２２】
第１の本体プレート１ａは、図２に示すように薄型の直方体の箱形状に形成され、図５にも示すようにその内側上部にアンテナを接続した電子情報記録媒体３を埋設する。この電子情報記録媒体３は例えば無線自動認識ＩＣタグであり、中央に置かれたＩＣチップ３ａにＩＣアンテナ３ｂが接続されて全体が帯状に形成されている(図８ａ参照)。なお、この電子情報記録媒体３は前記のような帯状のものに限定されるものではなく、円形のものでもよい(図８ｂ参照)。
【００２３】
また、第１の本体プレート１ａの側部に第２の本体プレート１ｂとの係合スライド部として、スリット状の溝４を設ける。
【００２４】
一方、第２の本体プレート１ｂは第１の本体プレート１ａの下側にスライド自在に組み合わさるものとして、側壁７と底板８とで第１の本体プレート１ａの収納凹部５を形成し、一方の端部にストッパーとなる肉厚部６を形成した。
【００２５】
そして、側壁７の内側から内方に向けて前記第１の本体プレート１ａに設けた溝４に係合するピン状の突起９を突設した。この突起９が溝４に対してスライド自在に挿入することで、第１の本体プレート１ａと第２の本体プレート１ｂとがスライド自在に組み合わさるとともに、このスライド組み合わさり部はピン結合となるから、ヒンジ構造となり、第１の本体プレート１ａと第２の本体プレート１ｂとが回動自在に軸着されることになる。
【００２６】
図５に示すように第２の本体プレート１ｂの底板８で電子情報記録媒体３の下方に位置させて、電子情報記録媒体３から発する電波を反射させ必要でない方向に電波が飛ぶことを防止とする断磁体を装着する。
【００２７】
第１の本体プレート１ａと第２の本体プレート１ｂのそれぞれの端部下部に、留め具２に係止して動物の耳殻を貫通する先端を槍状部１１ａとした芯杆１１を突設した。
【００２８】
留め具２も上下位置で重合して相互にスライド自在に組み合わさる第１の留め具プレート２ａと第２の留め具プレート２ｂとで形成される。第１の留め具プレート２ａは、薄型の直方体形状に形成され、側部に第２の留め具プレート２ｂとの係合スライド部として、第１の本体プレート１ａと同様のスリット状の溝（図示は省略した）を設ける。
【００２９】
一方、第２の留め具プレート２ｂは第１の留め具プレート２ａの下側にスライド自在に組み合わさるものとして、第２の本体プレート１ｂと同様にして側壁７と底板８とで第１の留め具プレート２ａの収納凹部５を形成し、一方の端部にストッパーとなる肉厚部６を形成した。
【００３０】
そして、側壁７の内側から内方に向けて前記第１の留め具プレート２ａに設けた溝に係合するピン状の突起９を突設した。この突起９が溝に対してスライド自在に挿入することで、第１の留め具プレート２と第２の留め具プレート２ｂとがスライド自在に組み合わさるとともに、このスライド組み合わさり部はピン結合となるから、ヒンジ構造となり、第１の留め具プレート２ａと第２の留め具プレート２ｂとが回動自在に軸着されることになる。
【００３１】
第１の留め具プレート２ａと第２の留め具プレート２ｂのそれぞれの端部に、前記槍状部１１ａが嵌入する係止孔１２を設ける。
【００３２】
図６は本体１の上部を覆うカバー１３を示し、第１の本体プレート１ａの上部を覆う第１のカバー１３ａと、これにスライド自在に組み合わさり第２の本体プレート１ｂの上部を覆う第２のカバー１３ｂとで構成する。このカバー１３は動物同士による噛付き、爪などによる引掛かりを防止するためのものであり、ドーム型またはたまご型の角のない曲率によるものである。一方、留め具２は本体１の下方に位置し、留め具２については前記のような不具合は生じないから、留め具２にはカバーを取付けなかった。
【００３３】
かかる耳標を豚や牛などの蓄体の耳殻に取付けるには、耳殻の表側に本体１をあてがい、裏側に留め具２をあてがって、図７に示すように本体１の側の芯杆１１を耳殻１４を貫通させ、裏側の留め具２の係止孔１２に先端の槍状部１１ａを挿入する。
【００３４】
これにより、槍状部１１ａが係止孔１２に嵌入し、本体１と留め具２とが結合して耳殻１４に固定される。
【００３５】
この場合、本体１と留め具２とは、第１の本体プレート１ａと第１の留め具プレート２ａとが、また、第２の本体プレート１ｂと第２の留め具プレート２ｂとがそれぞれの端部で結合されることになり、結合箇所は全体として両端の合計２箇所である。よって、耳標の一部が耳殻１４から離間して柵などの突起物に引っかかることがなく、耳が傷付いたり、耳標が折れるなどすることもない。
【００３６】
また、蓄体の成長にともない耳殻１４も大きくなるが、これに対しては、本体１と留め具２との固定箇所が両端の２箇所であることから、この２箇所で耳標が耳殻に固定されていても、第１と第２の本体プレート及び留め具プレートは、それぞれスライド自在に組み合わさっているから、第１と第２の本体プレート及び留め具プレートがそれぞれ別個に外方に移動することにより２箇所の固定箇所間の距離が延び、これにより耳標は耳の成長に追随して全体の長さを伸長させることができる。
【００３７】
さらに、耳殻１４は柔軟性を有するものであるが、これに対しては、第１と第２の本体プレート及び留め具プレートがヒンジ構造で結合されているから、耳殻の折曲がり、湾曲に対応してヒンジ部が回動することで、耳殻１４の動きに追随できる。
【００３８】
そして、ＩＣチップなどによる電子情報記録媒体３は、水を嫌う性質があるが、これを本体１の上側に位置する第１の本体プレート１ａに取付けたから、動物の耳殻１４から離れた位置に配設されることになり、水から保護できる。
【００３９】
下方位置の第２の本体プレート１ｂには、断磁体１０を取付けたから、電子情報記録媒体３に接続されたアンテナからの電波をここで反射させることで、必要以上に電波が飛ぶことを防止できる。
【００４０】
本体１の上部をカバー１３で覆うことで、耳標への動物同士による噛付きや、爪などによる引っ掛かりを防止でき、安全性を向上できる。
【図面の簡単な説明】
【００４１】
【図１】本発明の動物用耳標の実施形態を示す全体説明図である。
【図２】本発明の動物用耳標の実施形態を示す本体側の横断平面図である。
【図３】本発明の動物用耳標の実施形態を示す要部である第１の本体プレートの斜視図である。
【図４】本発明の動物用耳標の実施形態を示す留め具側の平面図である。
【図５】本発明の動物用耳標の実施形態を示す図２のＡ−Ａ線切断部の端面図である。
【図６】本発明の動物用耳標の実施形態を示すカバーの平面図である。
【図７】本発明の動物用耳標の実施形態を示す耳殻に装着した状態の側面図である。
【図８】本発明の動物用耳標で使用する電子情報記録媒体の正面図である。
【図９】従来の耳標の斜視図である。
【図１０】従来の耳標の側面図である。
【図１１】従来の耳標の柵に引っ掛かった状態の正面図である。
【図１２】従来の耳標の折れた状態の側面図である。
【符号の説明】
【００４２】
１  本体                        １ａ  第１の本体プレート
１ｂ  第２の本体プレート        ２  留め具
２ａ  第１の留め具プレート      ２ｂ  第２の留め具プレート
３  電子情報記録媒体            ４  溝
５  収納凹部                    ６  肉厚部
７  側壁                        ８  底板
９  突起                        １０  断磁体
１１  芯杆                      １１ａ  槍状部
１２  係止孔                    １３  カバー
１３ａ  第１のカバー            １３ｂ  第２のカバー
１４  耳殻                      ２４  耳殻
２５  プレート                  ２５ａ  通孔
２６ａ  ＩＣチップ              ２６ｂ  コイル
２７  円盤部                    ２８  雄ピン
２９  穿刺部                    ３０  柵
【図１】
2007143459.tif 000003
【図２】
2007143459.tif 000004
【図３】
2007143459.tif 000005
【図４】
2007143459.tif 000006
【図５】
2007143459.tif 000007
【図６】
2007143459.tif 000008
【図７】
2007143459.tif 000009
【図８】
2007143459.tif 000010
【図９】
2007143459.tif 000011
【図１０】
2007143459.tif 000012
【図１１】
2007143459.tif 000013
【図１２】
2007143459.tif 000014